(57)【要約】【課題】イオン発生装置から車室内へのイオンの吹出効率を高めるとともに、イオン発生装置の作動オンを乗員に伝わりにくくする。【解決手段】空調ユニット１００からベント吹出口に通じるダクト９にイオン発生装置２０を付設する。イオン発生装置２０のイオン発生面に設けられる電極２１の表面をダクト通路９ａ内に、空調風の上流側に向けて配置する。これによりイオン発生面から発生するイオン発生装置２０の作動音はダクト９の内壁に反射しながら空調風の上流側に向かい、吹出口からの作動音の漏れを低減することができる。【選択図】図１
2008110761.tif 000002
【特許請求の範囲】
【請求項１】
空調風を生成する空調ユニットと、
前記空調ユニットで生成された空調風を吹出口に導く空調ダクトと、
イオンを発生する際に作動音を伴うイオン発生面が前記空調ダクト内に配置されたイオン発生装置とを備え、
前記イオン発生面は、空調風流れ方向上流側に向けて配置されることを特徴とするイオン発生装置付き車両用空調装置。
【請求項２】
請求項１に記載のイオン発生装置付き車両用空調装置において、
前記空調ダクトは屈曲形状をなし、前記イオン発生面はその屈曲部の外径側に配置されることを特徴とするイオン発生装置付き車両用空調装置。
【請求項３】
請求項２に記載のイオン発生装置付き車両用空調装置において、
前記イオン発生面は、その空調風流れ方向上流側への投影面積が下流側への投影面積よりも大きくなるように配置されることを特徴とするイオン発生装置付き車両用空調装置。
【請求項４】
空調風を生成する空調ユニットと、
前記空調ユニットで生成された空調風を吹出口に導く空調ダクトと、
イオンを発生する際に作動音を伴うイオン発生面が前記空調ダクト内に配置されたイオン発生装置とを備え、
前記空調ダクトは空調風の上流側から下流側にかけて通路面積を徐々に減少させる絞り部を有し、前記イオン発生面は、前記絞り部に配置されることを特徴とするイオン発生装置付き車両用空調装置。
【請求項５】
請求項４に記載のイオン発生装置付き車両用空調装置において、
前記絞り部は、前記空調ダクトの壁面の一部を空調風流れ方向上流側に向けて傾斜して形成され、前記イオン発生面は、この絞り部の傾斜面に対向して配置されることを特徴とするイオン発生装置付き車両用空調装置。
【発明の詳細な説明】
【技術分野】
【０００１】
本発明は、イオンを含んだ空気を車室内に送風するイオン発生装置付き車両用空調装置に関する。
【背景技術】
【０００２】
従来、例えば浴室用のイオン発生装置が知られている（例えば特許文献１参照）。これによると空気の送風通路にマイナス電極を配置してマイナス電極からマイナス電子を発生させ、マイナスイオンを含んだ空気を浴室に送風する。これにより浴室の使用者をリラックスさせたり、健康回復させる等のマイナスイオンの効能が付与される。
【０００３】
【特許文献１】特開２０００−４８９３２号公報
【発明の開示】
【発明が解決しようとする課題】
【０００４】
ところで、車両用空調装置にイオン発生装置を設ける場合、イオン発生装置を空調装置の上流側に配置するほどイオン発生装置から吹出口までの経路が長くなり、発生したイオンがダクトの壁面等に衝突して消滅する確率が高くなる。したがって、イオン発生装置を空調装置の下流側、例えば吹出口近傍に配置する方がイオンの車室内への吹出効率が高くなる。
【０００５】
しかしながら、イオン発生装置を吹出口近傍に配置するとイオン発生装置の作動音が車室内に漏れやすくなる。一般の家庭用空調装置に比べ車両用空調装置では吹出口と乗員との距離が短いため、作動音が乗員に伝わりやすく、乗員の居住快適性が損なわれる。
【課題を解決するための手段】
【０００６】
本発明によるイオン発生装置付き車両用空調装置は、空調風を生成する空調ユニットと、空調ユニットで生成された空調風を吹出口に導く空調ダクトと、イオンを発生する際に作動音を伴うイオン発生面が前記空調ダクト内に配置されたイオン発生装置とを備え、イオン発生面を空調風の流れ方向上流側に向けて配置することにより上述した目的を達成する。
また、本発明によるイオン発生装置付き車両用空調装置は、空調風を生成する空調ユニットと、空調ユニットで生成された空調風を吹出口に導く空調ダクトと、イオンを発生する際に作動音を伴うイオン発生面が空調ダクト内に配置されたイオン発生装置とを備え、空調ダクトは空調風の上流側から下流側にかけて通路面積を徐々に減少させる絞り部を有し、イオン発生面を絞り部に配置することにより上述した目的を達成する。
【発明の効果】
【０００７】
本発明によれば、イオン発生装置のイオン発生面を、空調ダクト内の空調風の流れ方向上流側に向けて配置あるいは空調ダクトの絞り部に配置するようにしたので、イオン発生装置の作動音が吹出口の反対側に向かって伝播し、吹出口からの作動音の漏れを低減することができる。これによりイオン発生装置のイオン発生面を吹出口の近傍に配置することができ、車室内へのイオンの吹出効率も高めることができる。
【発明を実施するための最良の形態】
【０００８】
−第１の実施の形態−
以下、図１，２を参照して本発明の第１の実施の形態について説明する。
図１は、本発明の第１の実施の形態に係わるイオン発生装置付き車両用空調装置の概略構成を示す図である。空調ユニット１００はエバポレータ１とヒータコア２を有し、車室内前方のインストルメントパネル内の下方空間に設置される。
【０００９】
空調ユニット１００のダクト３の入口にはブロアファン４が配設され、ブロアファン４はブロアモータ５の駆動により回転する。ブロアファン４が回転すると、内外気切換ドア６を介してダクト３内に内気または外気が吸い込まれ、エバポレータ１を通過して冷却される。この冷却空気はエアミックスドア７の開度に応じた割合でヒータコア２を通過して加熱され、または冷却空気のままヒータコア２をバイパスする。ヒータコア２を通過およびバイパスした空気は、ヒータコア２の下流のエアミックスチャンバ８で混合され、所定温度の空調風とされる。この空調風はそれぞれダクト９〜１１を介し、インストルメントパネルに設けられたベント吹出口（センターベント吹出口,サイドベント吹出口）、下部に設けられたフット吹出口、フロントウインド近傍に設けられたデフロスト吹出口などから車室内に吹き出される。なお、ブロアモータ５，内外気切換ドア６，エアミックスドア７の駆動は周知の空調コントローラによって制御される。
【００１０】
図２は、ベント吹出口に通じるダクト９の拡大図である。図２に示すように、ベント吹出口近傍のダクト９にはイオン発生装置２０が付設されている。イオン発生装置２０は例えばダクト９内の通路９ａに面して配置されたイオン発生面を備え、このイオン発生面には放電によりイオンを発生する電極２１が設けられている。イオン発生装置２０は電源から電極２１に高電圧を印加して電極２１からマイナス電子を放電し、これによりダクト９内の空気中にマイナスイオンを発生する。この場合、電極表面の放電面（イオン発生面）に接触する空気量が増えるとイオン発生量も増加する。イオン発生装置２０は例えばオートエアコンスイッチのオンにより作動し、その作動音は主にイオン発生面から発生する。イオン発生装置２０の作動音（音波）は指向性を有する。
【００１１】
電極２１は、イオン発生面が少なくとも空調風の流れ方向（実線矢印）の上流側を向くように、ダクト通路９ａに対し斜めに配置されている。すなわち電極表面の下流側端部は上流側端部よりもダクト通路９ａ内にδ１だけ突出している。これによりイオン発生面で発生した作動音は、図示点線矢印で示すようにダクト９の内壁に反射しながら空調風の上流側、すなわちエアミックスチャンバ８側に向かって伝播する。
【００１２】
以上の第１の実施の形態によれば以下のような効果を奏する。
（１）  イオン発生装置２０のイオン発生面をダクト通路９ａ内に空調風の上流側に向けて配置したので、イオン発生装置２０の作動音がベント吹出口とは逆方向に伝播し、吹出口からの作動音の漏れを低減することができる。その結果、イオン発生装置２０をベント吹出口の近傍に配置することができ、イオンの吹出効率を高めることができる。
（２）  イオン発生面をダクト通路９ａ内に斜めに配置したので、ダクト通路９ａと平行に配置した場合に比べて、イオン発生面の空調風流れ方向上流側への投影面積が大きくなり、より多くの空気がイオン発生面に接触する。これによりイオン発生量を増加させることができる。
【００１３】
−第２の実施の形態−
図３を参照して本発明の第２の実施の形態について説明する。
第２の実施の形態が第１の実施の形態と異なるのは、イオン発生装置２０を付設するダクト９の形状である。以下、第１の実施の形態との相違点を主に説明する。
【００１４】
図３（ａ）は、第２の実施の形態に係わるダクト９の拡大図である。図３（ａ）に示すように、イオン発生装置２０はダクト９の屈曲部９１の外径側、かつ、屈曲部の中間点ａよりも下流側に付設され、電極表面はダクト通路９ａに面している。これにより図３（ｂ）に示すようにイオン発生面の空調風流れ方向上流側への投影面積Ｓ１は下流側への投影面積Ｓ２よりも大きくなる。
【００１５】
電極２１はイオン発生面を空調風の上流側に向けて傾けて配置されている。すなわち、電極表面の下流側端部は上流側端部よりもダクト通路９ａ内にδ２だけ突出している。これによりイオン発生面で発生した作動音は、図示点線矢印で示すように反射しながら空調風の上流側に向かって伝播し、第１の実施の形態と同様、吹出口からの作動音の漏れを低減することができる。この場合、投影面積はＳ１＞Ｓ２であるため、作動音は上流側に放出されやすく、ダクト通路９ａ内への突出量δ２を図２のδ１より小さくすることができる。
【００１６】
ダクト９の所定断面における空調風の流速は、屈曲部９１においては外径側が速く、内径側が遅い。そして第２の実施の形態では、流速の速い屈曲部９１の外径側にイオン発生装置２０のイオン発生面を設けたので、単位時間当たり、より多くの空気がイオン発生面に接触し、イオンの発生量を一層増加させることができる。
【００１７】
このように第２の実施の形態によれば、イオン発生装置２０を屈曲部９１の外径側に設け、イオン発生面を空調風の上流側に向けて配置したので、イオン発生装置２０の作動音がベント吹出口とは逆方向に伝播し、吹出口からの漏れを低減することができる。また、イオン発生面に接触する空気の流速が速いので、イオン発生量をより増加させることができる。この場合、ダクト通路９ａ内に流速分布を設けるために通路面積を減少する等、ダクト自体の大幅な形状変更が不要であり、安価に構成することができる。イオン発生装置２０を屈曲部９１の中間点ａよりも下流側に配置したので、イオン発生面の投影面積はＳ１＞Ｓ２となり、ダクト通路９ａ内への突出量δ２を小さくすることができる。その結果、空調風の通気抵抗が減少し、流速が増加して、さらにイオン発生量が増加する。
【００１８】
−第３の実施の形態−
図４を参照して本発明の第３の実施の形態について説明する。
第３の実施の形態が第１の実施の形態と異なるのは、イオン発生装置２０を付設するダクト９の形状である。以下、第１の実施の形態との相違点を主に説明する。
【００１９】
図４は、第３の実施の形態に係わるダクト９の拡大図である。図４に示すように、ダクト９は空調風の上流側から下流側にかけて通路面積を徐々に減少させる絞り部９２を有している。絞り部９２では、ダクト内壁面の周方向一部が流れの上流側に向けて傾斜して形成され、この傾斜部の周方向反対側壁面は平坦（流れに対して平行）に形成されている。イオン発生装置２０は、絞り部９２の平坦側壁面に付設されている。イオン発生面は、空調風の流れに対し平行に配置されている。すなわち、第１の実施の形態のように電極表面の下流側端部をダクト通路９ａ内に突出させてはいない。
【００２０】
イオン発生面で発生した作動音は、図示点線矢印で示すように絞り部９２のダクト内壁面に反射し、空調風の上流側に向かう。これにより吹出口からの作動音の漏れを低減することができる。また、絞り部９２では流路面積が減少するので流速が増加する。これにより単位時間当たりより多くの空気がイオン発生面に接触し、イオンの発生量を一層増加させることができる。
【００２１】
このように第３の実施の形態によれば、イオン発生装置２０のイオン発生面をダクト９の絞り部９２に設けたので、イオン発生装置２０の作動音は絞り部９２の壁面に反射してベント吹出口とは逆方向に伝播し、吹出口からの漏れを低減することができる。また、イオン発生面に接触する空気の流速が速いので、イオン発生量をより増加させることができる。イオン発生面を空調風の流れに対して平行に配置するので、通路９ａ内の空気抵抗が減少する。その結果、空調風の流速が増加し、イオン発生量をますます増加させることができる。ダクト壁面の周方向一部を空調風の上流側に向けて傾斜させて絞り部９２を形成し、その周方向反対側の平坦面にイオン発生装置２０を付設するので、イオン発生装置２０の取り付けが容易である。
【００２２】
なお、上記実施の形態では、イオン発生装置２０をベント吹出口に通じるダクト９に配置したが、他の箇所に配置してもよい。イオン発生装置２０は、マイナスイオンのみを発生するのでなく、マイナスイオンとプラスイオンを発生するものであってもよい。
【００２３】
第２の実施の形態では、イオン発生面を屈曲部９１に配置するようにしたが、ダクト９の所定断面に速度分布がある場合に、その所定断面上で流速が速い箇所に配置するのであれば屈曲部９２以外に配置してもよい。第３の実施の形態では、絞り部９２の周方向一部を平坦面にしたが、絞り部９２の全周を傾斜面としてもよい。絞り部９２により通路面積を減少させた後、通路面積を元に戻してもよい。オートエアコンスイッチに連動してイオン発生装置２０を作動させるのではなく、専用のオンオフスイッチにより作動させるようにしてもよい。
【図面の簡単な説明】
【００２４】
【図１】本発明の第１の実施の形態に係わるイオン発生装置付き車両用空調装置の概略構成を示す図。
【図２】第１の実施の形態に係わるイオン発生装置付き車両用空調装置のダクトの拡大図。
【図３】第２の実施の形態に係わるイオン発生装置付き車両用空調装置のダクトの拡大図。
【図４】第３の実施の形態に係わるイオン発生装置付き車両用空調装置のダクトの拡大図。
【符号の説明】
【００２５】
９  空調ダクト
２０  イオン発生装置
２１  電極
９１  屈曲部
９２  絞り部
１００  空調ユニット
【図１】
2008110761.tif 000003
【図２】
2008110761.tif 000004
【図３】
2008110761.tif 000005
【図４】
2008110761.tif 000006
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
空調風を生成する空調ユニットと、
前記空調ユニットで生成された空調風を吹出口に導く空調ダクトと、
前記空調ダクト内に配設された電極の表面であるイオン発生面からイオンを発生させるとともに、前記イオン発生面から併せて作動音が発生するイオン発生装置とを備え、
前記イオン発生面は、前記空調ダクトの内壁面に沿って、かつ、空調風流れ方向上流側に向けて前記空調ダクトの内壁面に対し斜めに配置されることを特徴とするイオン発生装置付き車両用空調装置。
【手続補正２】
【補正対象書類名】明細書
【補正対象項目名】０００６
【補正方法】変更
【補正の内容】
【０００６】
本発明によるイオン発生装置付き車両用空調装置は、空調風を生成する空調ユニットと、空調ユニットで生成された空調風を吹出口に導く空調ダクトと、空調ダクト内に配設された電極の表面であるイオン発生面からイオンを発生させるとともに、イオン発生面から併せて作動音が発生するイオン発生装置とを備え、イオン発生面を空調ダクトの内壁面に沿って、かつ、空調風の流れ方向上流側に向けて空調ダクトの内壁面に対し斜めに配置することにより上述した目的を達成する。
【手続補正３】
【補正対象書類名】明細書
【補正対象項目名】０００７
【補正方法】変更
【補正の内容】
【０００７】
本発明によれば、イオン発生装置の作動音が吹出口の反対側に向かって伝播し、吹出口からの作動音の漏れを低減することができる。これによりイオン発生装置のイオン発生面を吹出口の近傍に配置することができ、車室内へのイオンの吹出効率も高めることができる。